(57)【要約】【課題】透孔の周期的配列に起因するモアレの防止と共に、モアレ防止の為に透孔の配置を非周期的にしたときの明暗ムラの発生も防止し、これらモアレ防止と明暗ムラ防止とを両立させた、一方向透視性遮蔽材とする。【解決手段】多数の透孔２が設けられた遮光性基材１の平面視形状が網目パターン１Ｐを呈し、この網目パターンが、透孔に対応する多数の開口部Ａを画成し、二つの分岐点Ｂの間を延びて前記開口部を画成する多数の境界線分Ｌから形成され、一つの分岐点から延びる境界線分の数の平均値Ｎが、３．０≦Ｎ＜４．０であり、且つ、開口部が一定の繰返周期で並べられている方向が存在しない領域を含んでなるパターンの、一方向透視性遮蔽材１０とする。【選択図】図１
2013067988.tif 000002
【特許請求の範囲】
【請求項１】
遮光性基材と、この遮光性基材を貫通する多数の透孔を有する一方向透視性遮蔽材において、
前記透孔が設けられた遮光性基材を、一方向透視性遮蔽材のシート面の法線方向からみたときの平面視形状が網目パターンを呈し、
この網目パターンが、透孔に対応する多数の開口部を画成し、二つの分岐点の間を延びて前記開口部を画成する多数の境界線分から形成され、一つの分岐点から延びる境界線分の数の平均値Ｎが、３．０≦Ｎ＜４．０であり、且つ、前記開口部が一定の繰返周期で並べられている方向が存在しない領域を含んでなるパターンである、一方向透視性遮蔽材。
【請求項２】
上記開口部の形状が、五角形、六角形及び七角形から選ばれた２種以上の多角形を含んでなる、請求項１記載の一方向透視性遮蔽材。
【請求項３】
一方の面が他方の面に比べて高明度である、請求項１または２記載の一方向透視性遮蔽材。
【請求項４】
多数の透孔が設けられた遮光性基材に、透孔が設けられていない透明基材が積層されている、請求項１〜３のいずれか１項記載の一方向透視性遮蔽材。
【発明の詳細な説明】
【技術分野】
【０００１】
本発明は、透孔を多数有し、一方から他方への透視性が表裏で異なる一方向透視性遮蔽材に関する。
【背景技術】
【０００２】
店舗や車の窓ガラス等に貼り付け外側からは絵柄は見えるが内部は見えず、内側からは外側が見える一方向透視性遮蔽材が知られている（特許文献１、特許文献２）。
【０００３】
図１７は、従来の典型的な一方向透視性遮蔽材２０を示す。同図の一方向透視性遮蔽材２０は、図１７（Ａ）の断面図で示す様に、遮光性基材シート２１に、この遮光性基材シート２１を貫通する透孔２２が多数形成されてなる。多数の透孔２２の配置は、図１７（Ｂ）の平面図で示す様に、例えば正方格子状、三角格子状などと規則的配列をしている。図１７（Ｂ）に示した透孔２２の配置は、縦方向（図面Ｙ軸方向）及び横方向（図面Ｘ軸方向）で同じ配列周期で配置した正方格子状の例である。
一方、図１７（Ｃ）に示した透孔２２の配置は、横方向（図面Ｘ軸）に規則的に配列したストライプ状の例である。
なお、図示はしないが、遮光性基材１の一方の面には、絵柄が必要に応じて設けられる。
【０００４】
こうした一方向透視性遮蔽材２０は、具体的には、例えば、樹脂、紙等からなる遮光性基材シート２１の全面に、直径１ｍｍ前後の透孔２２を貫通孔として多数穿孔して形成される。
【０００５】
図１８の断面図は、この一方向透視性遮蔽材２０による一方向透視性の光線制御原理を示す説明図である。
一方向透視性遮蔽材２０を、建物或いは車両の窓に貼ると、相対的に明るい屋外（車外）からの光Ｌｏｕｔ（景色）は、相対的に暗い屋内（車内）の観察者Ｏｉｎには、透視可能である。
一方、暗い屋内（車内）の光Ｌｉｎ（景色）は、明るい屋外（車外）の観察者Ｏｏｕｔには、日光Ｓｎの反射光に紛れて透視不能となる。このため、屋内（車内）から屋外（車外）は透視可能であっても、屋外（車外）から屋内（車内）は透視不可能となる。
なお、この原理は、以下に述べる本発明による一方向透視性遮蔽材１０の場合も同様である。
【先行技術文献】
【特許文献】
【０００６】
【特許文献１】特公平６−１６７３１号公報
【特許文献２】特許第４５８０５２３号公報
【発明の概要】
【発明が解決しようとする課題】
【０００７】
しかしながら、従来の一方向透視性遮蔽材２０は、透孔２２が縦横に一定周期で配列しているため、この一方向透視性遮蔽材２０を適用する窓に、スダレ（簾）、網戸、鎧戸乃至はブラインド、カーテン（それも特にレース編みのもの）等の周期パターンを持つ周期パターン部材と重なった場合、周期パターンの周期と、一方向透視性遮蔽材２０の透孔２２の配列周期とが干渉して、モアレ（縞模様）を生じ、目障りとなる。
【０００８】
そこで、本発明者らは、一方向透視性遮蔽材２０について、モアレが生じない様にする為に、透孔２２の配列を、非周期性のランダムパターンとすることを試みた。
【０００９】
例えば、画像表示装置分野でプラズマディスプレイパネルの画面に設置する電磁波遮蔽フィルタ用の導電体メッシュに対して、国際公開第２００７／１１４０７６号のパンフレット、特開平１１−１２１９７４号公報で提案された、各種ランダムメッシュパターンを試みた。
【００１０】
前者の公報で開示されたメッシュパターンは、よりランダム性が高いランダムパターンであり、モアレは完全に解消するが、透孔２２による開口面積の面分布のバラツキが大きく、透視風景に明暗ムラが目立つという新たな問題が判明した。
【００１１】
後者の公報で開示されたメッシュパターンは、前者より周期性が高いランダムパターンであり、明暗ムラは目立たないが、モアレが残留するという問題が判明した。
【００１２】
このように、従来の一方向透視性遮蔽材２０は、その透孔２２の周期的配列によって、網戸等の周期パターン部材とのモアレが発生し、また、従来の非周期的なランダムパターンであっても、モアレ防止と透視風景の明暗ムラ防止とを、両立させることができなかった。
【００１３】
すなわち、本発明の課題は、一方向透視性遮蔽材について、その透孔の周期的配列に起因するモアレの防止と共に、モアレ防止の為に透孔の配置を非周期的にしたときの明暗ムラの発生も防止し、これらモアレ防止と明暗ムラ防止とを両立させることである。
【課題を解決するための手段】
【００１４】
そこで、本発明では、次の様な構成の一方向透視性遮蔽材とした。
（１）遮光性基材と、この遮光性基材を貫通する多数の透孔を有する一方向透視性遮蔽材において、
前記透孔が設けられた遮光性基材を、一方向透視性遮蔽材のシート面の法線方向からみたときの平面視形状が網目パターンを呈し、
この網目パターンが、透孔に対応する多数の開口部を画成し、二つの分岐点の間を延びて前記開口部を画成する多数の境界線分から形成され、一つの分岐点から延びる境界線分の数の平均値Ｎが、３．０≦Ｎ＜４．０であり、且つ、前記開口部が一定の繰返周期で並べられている方向が存在しない領域を含んでなるパターンである、一方向透視性遮蔽材。
（２）上記開口部の形状が、五角形、六角形及び七角形から選ばれた２種以上の多角形を含んでなる、上記（１）の一方向透視性遮蔽材。
（３）一方の面が他方の面に比べて高明度である、上記（１）または（２）の一方向透視性遮蔽材。
（４）多数の透孔が設けられた遮光性基材に、透孔が設けられていない透明基材が積層されている、上記（１）〜（３）のいずれかの一方向透視性遮蔽材。
【発明の効果】
【００１５】
本発明の一方向透視性遮蔽材によれば、遮光性基材の網目パターン（メッシュパターン）によって画成される透孔の配置が非周期的配列となるため、モアレ発生を効果的に防止できると共に、透孔群の開口面積の粗密による透視風景の明暗ムラも防止でき、モアレ防止と明暗ムラ防止を両立させることができる。
【図面の簡単な説明】
【００１６】
【図１】本発明による一方向透視性遮蔽材の一実施形態を説明する断面図（Ａ）と平面図（Ｂ）。
【図２】透孔乃至は開口部の形状例を説明する平面図。
【図３】網目パターンの一例を示す平面図。
【図４】網目パターンに繰返周期が存在しないことを説明する平面図。
【図５】網目パターンを設計する方法において、母点を決定する方法を示す図。
【図６】網目パターンを設計する方法において、母点を決定する方法を示す図。
【図７】網目パターンを設計する方法において、母点を決定する方法を示す図。
【図８】決定された母点群の分散の程度を絶対座標系と相対座標系で説明する図。
【図９】決定された母点からボロノイ図を作成して網目パターンを決定する方法を示す図。
【図１０Ａ】本発明による網目パターンを示す平面図。
【図１０Ｂ】網戸の網目を示す平面図。
【図１０Ｃ】図１０Ａと図１０Ｂとを重ねた状態を示す平面図。
【図１１Ａ】従来の一方向透視性遮蔽材が有する透孔の周期的配列（ストライブ状）を示す平面図。
【図１１Ｂ】網戸の網目を示す平面図。
【図１１Ｃ】図１１Ａと図１１Ｂとを重ねた状態を示す平面図。
【図１２】網目パターンが一方向透視性遮蔽材の寸法の１／３以上の大きさの単位パターン領域として繰り返された一例を示す平面図。
【図１３】本発明による一方向透視性遮蔽材の別の実施形態（表裏明度差）を例示する断面図。
【図１４】本発明による一方向透視性遮蔽材の別の実施形態（透明基材付き）を示す断面図。
【図１５】本発明による一方向透視性遮蔽材の別の実施形態（絵柄層付き）を示す平面図（Ａ）と断面図（Ｂ）。
【図１６】本発明による一方向透視性遮蔽材の別の実施形態（絵柄層付き）を示す断面図。
【図１７】従来の一方向透視性遮蔽材を例示する断面図（Ａ）と平面図（Ｂ）及び（Ｃ）。
【図１８】一方向透視性遮蔽材における一方向透視性の光線制御原理を説明する説明図。
【発明を実施するための形態】
【００１７】
以下、本発明の実施形態について図面を参照しながら説明する。なお、図面は概念図であり、説明上の都合に応じて適宜、構成要素の縮尺関係、縦横比等は誇張されていることがある。
【００１８】
先ず、本発明による一方向透視性遮蔽材を、図１に示す一実施形態例を参照して説明する。
【００１９】
本発明の一方向透視性遮蔽材は、図１（Ａ）の断面図、及び図１（Ｂ）の平面図で示す実施形態の一方向透視性遮蔽材１０の様に、遮光性基材１と、この遮光性基材１の表裏を貫通する様に形成された多数の透孔２とを、少なくとも有する。
しかも、前記透孔２が設けられた遮光性基材１を、一方向透視性遮蔽材１０のシート面の法線方向（図面ではＺ軸方向）からみたときの平面視形状である網目パターン１Ｐが、本発明固有の非周期的パターンをしている。
【００２０】
ここで、本発明で用いる主要な用語の定義を説明しておく。
「シート面」とは、シート状の一方向透視性遮蔽材１０を全体的かつ大局的に見た場合において、この一方向透視性遮蔽材１０の平面方向と一致する面のことを意味する。「シート面」は、通常、遮光性基材１の一方の面又は他方の面（表面又は裏面）と平行な面でもあり、図１に於いては、ＸＹ平面又はこれと平行な面となる。
「平面視形状」とは、「シート面」に平行な面に於ける形状のことを意味する。言い換えると、「平面視形状」とは、「シート面」に立てた法線の方向から見た形状のことを意味する。図１ではＺ軸方向が法線方向である。
「シート」、「フィルム」、「板」の用語は、呼称の違いのみに基づいて、互いから区別されるものではない。したがって、例えば、「シート」はフィルムや板とも呼ばれ得るような部材も含む概念である。
【００２１】
図１（Ｂ）で示す様に、前記網目パターン１Ｐは、透孔２に対応する多数の開口部Ａを画成し、二つの分岐点Ｂの間を延びて前記開口部Ａを画成する多数の境界線分Ｌから形成され、一つの分岐点Ｂから延びる境界線分Ｌの数の平均値Ｎが、３．０≦Ｎ＜４．０であり、且つ、前記開口部Ａが一定の繰返周期で並べられている方向が存在しない領域を含んでなるパターンからなる。
前記開口部Ａは、透孔２の平面視形状に相当する。
【００２２】
このため、上記透孔２は従来のような周期的配列ではなく、上記透孔２を画成する網目パターン１Ｐが特定の非周期的パターンであるために、網戸やレース編みカーテン等の周期パターン部材と重なった時に、その周期パターンの周期との干渉によるモアレも、配置された透孔２による局所的面積率の粗密による明暗ムラも生じず、モアレと明暗ムラとを極めて効果的に抑制しながら、一方向透視性を発揮させることが可能となる。
【００２３】
〔遮光性基材〕
遮光性基材１の材料としては、遮光性を有する基材であれば良く、例えば、ポリエチレンテレフタレート等のポリエステル樹脂、ポリメチルメタクリレート等のアクリル樹脂、ポリエチレン等のポリオレフィン樹脂、ポリカーボネート樹脂、ポリ塩化ビニル樹脂等の樹脂シート（フィルム、板も含む）中に、チタン白、カーボンブラック等の着色顔料を添加した物、或いは、前記樹脂シートの片面又は両面にチタン白、カーボンブラック等の着色顔料を含む塗膜を形成した物、或いは、上質紙、硫酸紙、パーチメント紙等の紙、アルミニウム、銅などの金属箔等の片面又は両面に、チタン白、カーボンブラック等の着色顔料を含む塗膜を形成した物、などを用いることができる。
遮光性基材１の厚みは、例えば２０〜３０００μｍ程度である。
【００２４】
［網目パターンの作製方法］
上記網目パターン１Ｐは、所定の網目パターン１Ｐの刃型を有する打抜型を用いて、遮光性基材１を打ち抜いて、遮光性基材１に所定の透孔２を穿孔することにより形成することができる。透孔２以外の部分の遮光性基材１が、網目パターン１Ｐに於いて境界線分Ｌを構成する。
【００２５】
［透孔］
透孔２（乃至はその平面視形状である開口部Ａ、以下同様）の開口率（多数の透孔２の総面積割合）は、モアレ防止及び明暗ムラ防止の両立の為には、２０〜６０％程度とするのが好ましい。
【００２６】
透孔２の形状は、図２の平面図で示すように、図２（Ａ）の五角形、図２（Ｂ）の六角形及び図２（Ｃ）の七角形から選ばれた２種以上の多角形からなることが、好ましい。図２が不等辺多角形を例示するように、透孔２を構成する多角形は正多角形である必要はないが、正多角形を含んでいても良い。
このように構成することによって、モアレを目立たなくさせることが出来ると共に、明暗ムラもより確実に目立たなくさせることができる。
更に好ましくは、開口部Ａの形状が五角形、六角形、及び七角形を含む様にする。
例えば、図１０Ａの形態で使用した網目パターン１Ｐについて、合計４６３１個の開口部Ａ（多角形）について計測したところ、
３角形              ０個
４角形            ７９個
５角形        １１４１個
６角形        ２３８２個
７角形          ９２７個
８角形            ９４個
９角形              ８個
１０角形以上        ０個
であった。
なお、この網目パターン１Ｐについて、分岐点Ｂから出る境界線分Ｌの平均本数を計測したところ３．０７であった。
【００２７】
透孔２の寸法は、相対的に暗い屋内（車内）から相対的に明るい屋外（車外）の風景が十分に視認されると同時に、相対的に明るい屋外（車外）から相対的に暗い屋内（車内）の風景が十分に視認不能となる為には、透孔２の大きさＤ（開口部Ａの大きさ）の平均値ＤAVGを、５００〜３０００μｍとするのが好ましい。
【００２８】
［網目パターンとこれにより画成される開口部］
網目パターン１Ｐは、遮光性基材１を、層面乃至はシート面の法線方向（図１でＺ軸方向）から観察した場合における、透孔２の部分が欠落した遮光性基材１の平面視形状である。以下、この網目パターン１Ｐについて、図３および図９を主として参照しながら説明する。
【００２９】
網目パターン１Ｐは、図３に示す如く、二つの分岐点Ｂの間を延びて開口部Ａを画成する多数の境界線分Ｌから形成され、一つの分岐点Ｂから延びる境界線分Ｌの数の平均値Ｎが、３．０≦Ｎ＜４．０、つまり、３．０以上で４．０未満であり、且つ、前記境界線分Ｌで画成された前記開口部Ａに繰返周期を持つ方向が存在しない領域を含んでなるパターンとなっている。
【００３０】
図３および図９に示すように、網目パターン１Ｐのライン部Ｌｔは、多数の分岐点Ｂを含んでいる。網目パターン１Ｐのライン部Ｌｔは、両端において分岐点Ｂを形成する多数の境界線分Ｌから構成されている。すなわち、網目パターン１Ｐのライン部Ｌｔは、二つの分岐点Ｂの間を延びる多数の境界線分Ｌから構成されている。そして、分岐点Ｂにおいて、境界線分Ｌが接続されていくことにより、開口部Ａが画成されている。言葉を換えて言うと、境界線分Ｌで囲繞され、区画されて１つの閉領域としての開口部Ａが画成されている。
なお、網目パターン１Ｐは、開口部Ａが繰返周期を持つ方向が存在しない配列となって、モアレを防ぐ効果が十分に発現される為には、周囲を囲繞する境界線分Ｌの数が同一の開口部Ａの面積及び形状は一定でないようなパターンとすると良い。好ましくは、周囲を囲繞する境界線分Ｌの数が同一の開口部Ａの５０％以上が互いにその面積及び形状が異なるようにする。より好ましくは、周囲を囲繞する境界線分Ｌの数が同一の開口部Ａを網目パターン１Ｐの全域に亙って、全て互いにその面積及び形状が異なるようにする。これは、言い換えると、網目パターン１Ｐに含まれる開口部Ａのうち、周囲を囲繞する境界線分Ｌの数が同一となる開口部Ａの形状及び面積がすべて同一ではなく、少なくとも一部は他と異なるものになると言うことを意味する。なお、ここで周囲を囲繞する境界線分Ｌの数とは、開口部Ａが多角形である場合は、その多角形の角数と一致する。また、以上に於いて、２つの開口部Ａ同士が互いに合同な図形であって且つその向きが異なる場合も、これらの２つの開口部Ａの形状は互いに異なると見做す。
【００３１】
なお、図３および図９に示すように、ライン部Ｌｔが境界線分Ｌのみから構成されているため、開口部Ａの内部に延び入って行き止まりとなるライン部Ｌｔは存在しない。
【００３２】
一方、モアレの発生を防止するため、本実施形態による一方向透視性遮蔽材１０の遮光性基材１が呈する網目パターン１Ｐでは、その全領域が、開口部Ａが繰返周期を有する方向が存在しないようになっている。モアレを確実に解消する為には、網目パターン１Ｐの全領域がこのような領域のみから構成されていることが好ましい。本実施形態はこの様な構成からなる。本件発明者らは、鋭意研究を重ねた結果として、単に網目パターン１Ｐのパターンを不規則化するのではなく、網目パターン１Ｐの開口部Ａが一定の規則性を持った繰返周期で並べられた方向が存在しないように網目パターン１Ｐのパターンを画成することにより、透孔２が周期的配列された構成の従来の一方向透視性遮蔽材２０と、周期パターンを有する網戸やレース編みカーテン等の周期パターン部材とを重ねた際に生じ得るモアレを、極めて効果的に目立たなくさせることが出来ると判明した。
【００３３】
［繰返周期の不存在］
図４は、網目パターン１Ｐで画成される多数の開口部Ａが、一定の周期で配置されている領域が存在せず、繰返周期が存在しないことを説明するＸＹ平面に平行なシート面に於ける平面図である。このシート面の面内において、同図では、任意の位置で任意の方向を向く一本の仮想的な直線ｄｉが選ばれている。
この一本の直線ｄｉが、ライン部Ｌｔの境界線分Ｌと交差し交差点が形成される。この交差点を、図面では図面左下から順に、交差点ｃ１，ｃ２，ｃ３，・・・・・，ｃ９として図示してある。隣接する交差点、例えば、交差点ｃ１と交差点ｃ２との距離が、前記或る一つの開口部Ａの直線ｄｉ上での寸法ｔ１である。次に、寸法ｔ１の開口部Ａに対して直線ｄｉ上で隣接する別の開口部Ａについても、同様に、直線ｄｉ上での寸法ｔ２が定まる。そして、任意位置で任意方向の直線ｄｉについて、直線ｄｉと交差する境界線分Ｌとから、任意位置で任意方向の直線ｄｉと遭遇する多数の開口部Ａについて、該直線ｄｉ上における寸法として、ｔ１，ｔ２，ｔ３，・・・・・・，ｔ８が定まる。そして、ｔ１，ｔ２，ｔ３，・・・・・・，ｔ８の数値の並びには、周期性が存在しない。
図４では、このｔ１，ｔ２，ｔ３，・・・・・・，ｔ８は、判り易い様に図面下方に、直線ｄｉと共に網目パターン１Ｐとは分離して描いてある。
【００３４】
この直線ｄｉを図４で図示のものから任意の位置で任意の角度回転させて別の方向について各開口部Ａの寸法ｔ１，ｔ２，・・を求めると、やはり図４の場合と同様、直線ｄｉ方向に対して繰返し周期性は見られない。
すなわち、このｔ１，ｔ２，ｔ３，・・・・・・，ｔ８の数値の並びの様に、境界線分Ｌで画成された開口部Ａには繰返周期を持つ方向が存在しない。
言い換えると、開口部Ａの配置において、任意位置を通る任意方向の仮想的線分ｄｉ上での開口部Ａの寸法ｔｉの並びの数列が非周期関数となる。すなわち、ｔ（ｉ）＝ｔ（ｉ＋Ｍ）となるＭが存在しない（ｉ，Ｍはそれぞれ独立な正の整数）。
このように、開口部Ａが繰返周期を持つ方向が存在しないことを、開口部Ａが一定の繰返周期で並べられている方向が存在しない、と表現する。
【００３５】
さらに、本実施形態による一方向透視性遮蔽材１０の遮光性基材１が呈する網目パターン１Ｐでは、一つの分岐点Ｂから延び出す境界線分Ｌの数の平均値Ｎが３．０≦Ｎ＜４．０となっている。このように一つの分岐点Ｂから延び出す境界線分Ｌの数の平均値Ｎが３．０≦Ｎ＜４．０となっている場合、網目パターン１Ｐの配列パターンを、正方格子パターン（Ｎ＝４．０）から大きく異なるパターンとすることができる。なお、正方格子パターンの例示としては図１０Ｂに示す網戸６の網目６Ｐを挙げることができる。また、一つの分岐点Ｂから延び出す境界線分Ｌの数の平均値Ｎが３．０＜Ｎ＜４．０となっている場合には、ハニカム配列（Ｎ＝３．０）からも大きく異なるパターンとすることができる。そして、一つの分岐点Ｂから延び出す境界線分Ｌの数の平均値Ｎを３．０≦Ｎ＜４．０とした上で、開口部Ａの配列を不規則化して、開口部Ａが繰返周期を持って並べられた方向が安定して存在しないようにすることが可能となり、その結果、モアレを極めて効果的に目立たなくさせることが可能となることが、確認された。
【００３６】
なお、一つの分岐点Ｂから延び出す境界線分Ｌの数の平均値Ｎは、厳密には、網目パターン１Ｐ内に含まれる全ての分岐点Ｂについて、延び出す境界線分Ｌの数を調べてその平均値を算出することになる。ただし、実際的には、ライン部Ｌｔによって画成された一つ当たりの開口部Ａの大きさ等を考慮した上で、一つの分岐点Ｂから延び出す境界線分Ｌの数の全体的な傾向を反映し得ると期待される面積を持つ一区画（例えば、後述の寸法例で開口部Ａが形成されている網目パターン１Ｐにおいては、１０ｍｍ×１０ｍｍの部分）に含まれる分岐点Ｂについて延び出す境界線分Ｌの数を調べてその平均値を算出し、算出された値を当該網目パターン１Ｐについての一つの分岐点Ｂから延び出す境界線分Ｌの数の平均値Ｎとして取り扱うようにしてもよい。
【００３７】
実際に、図３に示された一方向透視性遮蔽材１０の遮光性基材１が呈する網目パターン１Ｐでは、一つの分岐点Ｂから延び出す境界線分Ｌの数の平均値Ｎが３．０＜Ｎ＜４．０となっている。一例を挙げると、図３の網目パターン１Ｐの場合、合計３８７個の分岐点Ｂについて計測したところ、境界線分Ｌが３本の分岐点Ｂが３７３個、境界線分Ｌが４本の分岐点Ｂが１４個であり（分岐する境界線分Ｌの数が５個以上の分岐点は０個）、分岐点Ｂから出る境界線分Ｌの平均本数（平均分岐数）は３．０４個であった。
【００３８】
［網戸の網との干渉によるモアレ発生状況］
図１０Ｃには、図３及び図１０Ａに示された、本発明による一方向透視性遮蔽材１０の網目パターン１Ｐを、図１０Ｂに示された網戸の網６と重ねた状態が示されている。図１０Ｂで示された網戸の網６が有する網目６Ｐは、縦横の周期が等しい正方格子状パターンをしている。
【００３９】
図１０Ｃからも理解され得るように、図３及び図１０Ａ示された網目パターン１Ｐを実際に作製して網戸の網６に重ね合わせた場合、視認され得る程度の縞状の模様、すなわちモアレ（干渉縞）は発生しなかった。
【００４０】
一方、従来の一方向透視性遮蔽材２０の様に、周期パターンである周期的網目パターン２１Ｐで画成される開口部Ａに一定の繰返周期が存在する場合のモアレ発生を例示するのが図１１Ａ〜図１１Ｃである。図１１Ａに図示したものは、遮光性基材２１が呈するストライプ状の周期的網目パターン２１Ｐである。
【００４１】
図１１Ｃには、図１１Ａに示された周期的網目パターン２１Ｐを、図１１Ｂに示された網戸の網６の網目６Ｐ（図１０Ｂで示したものと同じである）に重ねた状態が示されている。図１１Ａ、図１１Ｂ及び図１１Ｃからも理解され得るように、周期的網目パターン２１Ｐを有する一方向透視性遮蔽材２０が網戸の網６上に配置されると、周期的網目パターン２１Ｐと網目６Ｐの規則的パターンとの干渉によって、明暗の筋（図１１Ｃに示された例では、右上から左下に延びている明暗の筋）が視認されるようになる。
【００４２】
なお、図１１Ａおよび図１１Ｃに示された例では、周期的網目パターン２１Ｐのストライプを構成する多数の直線の配列方向が、網目６の配列方向に対して、数度傾斜している。この傾斜角は画像表示装置或いは印刷の分野ではバイアス角（度）と呼称する。このような傾斜は、上記分野では、モアレを目立たなくさせるものとして広く用いられている手法である。但し、図１１Ｃにモアレが視認されることからも理解され得るように、モアレ発生の程度は単にバイアス角のみで決まる訳では無く、この他、網目６Ｐ及び周期的網目パターン２１Ｐの繰返周期比、周期的網目パターン２１Ｐの線幅等の要因にも依存する。周期的網目パターン２１Ｐのバイアス角のみでモアレを解消しようとすると、網戸の網目６Ｐの大小、レース編みカーテンの等、様々な周期パターン部材との重なりを想定すると、それ毎にバイアス角の異なるものを用意する必要が有り現実的ではない。
【００４３】
［網目パターンのパターン形状の作成方法］
ここで、本発明固有の上記網目パターン１Ｐのパターンを作成する方法の一例を以下に説明する。
【００４４】
ここで説明する方法は、母点を決定する工程と、決定された母点からボロノイ図を作成する工程と、ボロノイ図における一つのボロノイ境界によって結ばれる二つのボロノイ点の間を延びる境界線分Ｌの経路を決定する工程と、決定された経路の太さを決定して各境界線分Ｌを画定して網目パターン１Ｐ（ライン部Ｌｔ）のパターンを決定する工程と、を有している。以下、各工程について順に説明していく。なお、上述した図３に示されたパターンは、実際に以下に説明する方法で決定されたパターンである。
【００４５】
まず、母点を決定する工程について説明する。最初に、図５に示すように、絶対座標系Ｏ−Ｘ−Ｙ（この座標系Ｏ−Ｘ−Ｙは普通の２次元平面であるが、後述の相対座標と区別する為、頭に「絶対」を付記する）の任意の位置に一つ目の母点（以下、「第１の母点」と呼ぶ）ＢＰ１を配置する。次に、図６に示すように、第１の母点ＢＰ１から距離ｒだけ離れた任意の位置に第２の母点ＢＰ２を配置する。言い換えると、第１の母点ＢＰ１を中心として絶対座標系ＸＹ上に位置する半径ｒの円の円周（以下、「第１の円周」と呼ぶ）上の任意の位置に、第２の母点ＢＰ２を配置する。次に、図７に示すように、第１の母点ＢＰ１から距離ｒだけ離れ且つ第２の母点ＢＰ２から距離ｒ以上離れた任意の位置に、第３の母点ＢＰ３を配置する。その後、第１の母点ＢＰ１から距離ｒだけ離れ且つその他の母点ＢＰ２，ＢＰ３から距離ｒ以上離れた任意の位置に、第４の母点を配置する。
【００４６】
このようにして、次の母点を配置することができなくなるまで、第１の母点ＢＰ１から距離ｒだけ離れ且つその他の母点から距離ｒ以上離れた任意の位置に母点を配置していく。その後、第２の母点ＢＰ２を基準にしてこの作業を続けていく。すなわち、第２の母点ＢＰ２から距離ｒだけ離れ且つその他の母点から距離ｒ以上離れた任意の位置に、次の母点を配置する。第２の母点ＢＰ２を基準にして、次の母点を配置することができなくなるまで、第２の母点ＢＰ２から距離ｒだけ離れ且つその他の母点から距離ｒ以上離れた任意の位置に母点を配置していく。その後、基準となる母点を順に変更して、同様の手順で母点を形成していく。
【００４７】
以上の手順で、網目パターン１Ｐが形成されるべき領域内に母点を配置することができなくなるまで、母点を配置していく。網目パターン１Ｐが形成されるべき領域内に母点を配置することができなくなった際に、母点を作製する工程が終了する。ここまでの処理により、２次元平面（ＸＹ平面）に於いて不規則的に配置された母点群が、網目パターン１Ｐが形成されるべき領域内に一様に分散した状態となる。
【００４８】
このような工程で２次元平面（ＸＹ平面）内に分布された母点群ＢＰ１、ＢＰ２、・・、ＢＰ６（図８（Ａ）参照）について、個々の母点間の距離は一定では無く分布を有する。但し、任意の隣接する２母点間の距離Ｒの分布は完全なランダム分布（一様分布）でも無く、平均値ＲAVGを挾んで上限値ＲMAXと下限値ＲMINとの間の範囲ΔＲ＝ＲMAX−ＲMINの中で分布している。なお、ここで、隣接する２母点であるが、母点群ＢＰ１、ＢＰ２、・・からボロノイ図を作成した後、２つのボロノイ領域ＸＡが隣接していた場合に（図９参照）、その２つのボロノイ領域ＸＡの母点同士が隣接していると定義する。
【００４９】
即ち、ここで説明した母点群について、各母点を原点とする座標系（相対座標系ｏ−ｘ−ｙと呼称し、一方、現実の２次元平面を規定する座標系を絶対座標系Ｏ−Ｘ−Ｙと呼称する）上に、原点に置いた母点と隣接する全母点をプロットした図８（Ｂ）、図８（Ｃ）、・・等のグラフを全母点について求める。そして、これら全部の相対座標系上の隣接母点群のグラフを、各相対座標系の原点ｏを重ね合わせて表示すると、図８（Ｄ）の如きグラフが得られる。この相対座標形上での隣接母点群の分布パターンは、母点群を構成する任意の隣接する２母点間の距離が０から無限大迄の一様分布では無く、原点ｏからの距離がＲAVG−ΔＲからＲAVG＋ΔＲ迄の有限の範囲（半径ＲMINからＲMAX迄のドーナツ形領域）内に分布していることを意味する。
【００５０】
以上の様にして、各母点間の距離を設定することによって、該母点群から以下に説明する方法で得られるボロノイ領域ＸＡ、更には、これから得られる開口部Ａの大きさ（乃至は開口部Ａの面積）の分布についても、一様分布（完全ランダム）では無く、有限の範囲内に分布したものとなる。
なお、図８（Ｄ）からわかる様に、任意の１母点から見た他の母点の方位（角度）分布は等方的（乃至は略等方的）である。このことが、これらの母点（群）から生成される網目パターン１Ｐに於ける開口部Ａの方位（角度）分布が等方的（乃至は略等方的）となることに対応する。
この様に構成することにより、一方向透視性遮蔽材１０を通して見る透視風景の明暗ムラが、より一層、効果的に解消する。
【００５１】
また、透視する風景に明暗ムラが生じることへの防止効果と、網戸、ブラインド等の周期パターン部材とモアレが生じることへの防止効果との両立性の為には、透孔２の大きさＤ（開口部Ａの大きさ）の分布を、
ＤAVG−３σ≦Ｄ≦ＤAVG＋３σ
としたときに（但し、ＤAVGは大きさＤの平均値、σは大きさＤの分布の標準偏差）、
３σ＝０．１ＤAVG〜０．５ＤAVG
とするのが好ましい。
ここで、透孔２の大きさＤは、全ての透孔２について、以下の定義とする。
（１）或る一つの透孔２に属する全ての分岐点Ｂ（多角形の場合は全頂点）を通る円が描ける場合は、この透孔２の外接円直径を以って、大きさＤとする。
（２）或る一つの透孔２に属する全ての分岐点Ｂ（多角形の場合は全頂点）を通る円が描け無い場合は、この透孔２に属する２分岐点Ｂ間の距離の最大値（多角形の場合は、最大の対角線長）を以って、大きさＤとする。
【００５２】
次に、図９に示すように、配置された母点を基準にして、ボロノイ図を作成する。図９に示すように、ボロノイ図とは、隣接する２つの母点ＢＰ、ＢＰ間に垂直二等分線を引き、その各二等分線同士の交点で結ばれた線分で構成される図である。ここで、二等分線の線分をボロノイ境界ＸＢと呼び、ボロノイ境界ＸＢの端部をなすボロノイ境界ＸＢ同士の交点をボロノイ点ＸＰと呼び、ボロノイ境界ＸＢに囲まれた領域をボロノイ領域ＸＡと呼ぶ。
【００５３】
図９のように作成されたボロノイ図において、各ボロノイ点ＸＰが、網目パターン１Ｐの分岐点Ｂをなすようにする。そして、一つのボロノイ境界ＸＢの端部をなす二つのボロノイ点ＸＰの間に、一つの境界線分Ｌを設ける。この際、境界線分Ｌは、図３に示された例のように二つのボロノイ点ＸＰの間を直線状に延びるように決定してもよいし、あるいは、他の境界線分Ｌと接触しない範囲で二つのボロノイ点ＸＰの間を種々の経路（例えば、円（弧）、楕円（弧）、抛物線、双曲線、正弦曲線、双曲線正弦曲線、楕円函数曲線、ベッセル関数曲線等の曲線状、折れ線状等の経路）で延びるようにしてもよい。なお、境界線分Ｌは、図３に示された例のように二つのボロノイ点ＸＰの間を直線状に延びるように決定した場合、各ボロノイ境界ＸＢが、境界線分Ｌを画成するようになる。
【００５４】
各境界線分Ｌの経路を決定した後、各境界線分Ｌの線幅（太さ）を決定する。境界線分Ｌの線幅は、作成された網目パターン１Ｐで画成される多数の開口部Ａの集合体としての開口率を勘案して、決定される。以上のようにして、網目パターン１Ｐのパターンを決定することができる。
【００５５】
以上のような本実施形態によれば、一方向透視性遮蔽材１０の遮光性基材１が呈する網目パターン１Ｐが、二つの分岐点Ｂの間を延びて多数の開口部Ａを画成する多数の境界線分Ｌから形成されており、一つの分岐点Ｂから延びる境界線分Ｌの数の平均値Ｎが３．０≦Ｎ＜４．０となっており、且つ、開口部Ａが繰返周期を持つ方向が存在しないようになっている。この結果、規則的パターンを有する、網戸の網、鎧戸、ブラインド、レース編みのカーテン等の周期パターン部材と、この一方向透視性遮蔽材１０とが重なったときに、モアレが視認され得る程度に発生することを効果的に防止することができる。
なお、上記の生成過程において、母点ＢＰの配置は周期性がないので、この母点ＢＰの位置に透孔２を設けることも考えられる。しかし、透孔２の大きさと形状が定まらないので、仮に同じ円形で大きさを変化させた透孔２を配置した場合、透孔２同士の間の遮光性基材１の幅が様々となり、明暗ムラが生じやすい。
【００５６】
〔変形形態〕
本発明の一方向透視性遮蔽材１０は、上記した形態以外に様々な形態をとり得る。以下、そのうちの一部を説明する。
【００５７】
（単位パターン領域としての繰返し）
上述した実施形態では、一方向透視性遮蔽材１０中の多数配置された透孔２を有する全領域において、該透孔２に対応する、網目パターン１Ｐによって画成される開口部Ａが、繰返周期を持つ方向が存在しないようになっている例を説明した。しかしながら、図１２の様に、その内部に於いて網目パターン１Ｐの全領域が、単位パターン領域Ｓを複数集合して網目パターン１Ｐの全領域が構成されるようにして、且つ各単位パターン領域Ｓ内に於いては、複数の開口部Ａが、所定の繰返周期のないパターンで配列されている領域からなるようにしてもよい。
すなわち、この形態に於いては、網目パターン１Ｐの全領域中に、局所的に見たときに、同一パターンで開口部群が配列されてなる単位パターン領域Ｓを２箇所以上含むようになる。この場合、特定方向について、一定周期で４箇所以上の繰返しが無ければ、単位パターン領域Ｓ同士の繋ぎ目は実質上目立ち難く、無視し得る。もちろん、単位パターン領域Ｓ中でモアレも明暗ムラも生じていない。この例において、一つの単位パターン領域Ｓ内における網目パターン１Ｐのパターンは、例えば、図５〜図９を参照しながら説明したパターン作成方法と同様にして作成することができる。
【００５８】
特に、適用する窓や扉に合わせて大面積となる一方向透視性遮蔽材１０に対しては、網目パターン１Ｐが、複数の単位パターン領域Ｓの配列から構成されていて、且つ各々の単位パターン領域Ｓ内に於いては互いに同一のパターンで開口部Ａが配列されている構成とした複数の単位パターン領域Ｓを含む形態とした方が、網目パターン１Ｐのパターン作成を格段に容易化することが可能となる点において好ましい。
【００５９】
なお、特に一種類の単位パターン領域Ｓを図１２に示す様に縦横に複数配置する例においては、特定方向（図面縦方向と横方向の２方向）で単位パターン領域Ｓとしての繰返しが存在する。図１２の実施形態に於いては、横方向に繰返周期ＳＰ２、縦方向に繰返周期ＳＰ１を以って単位パターン領域Ｓが繰り返される。この条件下では、特定方向に於ける単位パターン領域Ｓの寸法をＬｓとし、該特定方向に延びる任意の直線ｄｊ上において単位パターン領域Ｓが寸法Ｌｓ内に開口部ＡをＭ個有するとき、直線ｄｊ上の或る開口部Ａに注目すると、直線ｄｊ上では開口部Ａの個数がＭ個分だけ離れた位置には、全く同じ寸法ｔｊ及び形状の開口部Ａが常に存在するという規則性を有する。すなわち、開口部Ａの直線ｄｊ上での寸法ｔｊについて、直線ｄｊ上で順番に数えてｋ番目の寸法ｔｊ（ｋ）と、そこから更にＭ番目の（ｋ＋Ｍ）番目の寸法ｔｊ（ｋ＋Ｍ）とが同じとなる、ｔｊ（ｋ）＝ｔｊ（ｋ＋Ｍ）の関係が成立する（ｋ，Ｍはそれぞれ独立な正の整数）。
【００６０】
しかし、この規則性は、単位パターン領域Ｓとしての繰返周期（前記で言えば寸法Ｌｓがその繰返周期に該当する）に基づくものであり、開口部Ａとしての繰返周期ではなく、各単位パターン領域Ｓ内に於いて開口部Ａが繰返周期を上記特定方向に持つことではない。また、単位パターン領域Ｓとしての繰返周期は、網戸、ブラインド、レース編みカーテンなどの周期パターン部材の周期に対して寸法が例えば１０倍以上異なるように出来る為に、モアレが発生する様な近い寸法関係にない。
【００６１】
図１２に示された例では、一方向透視性遮蔽材１０が、同一の形状を有した六つの単位パターン領域Ｓに分割され、各単位パターン領域Ｓ内で、網目パターン１Ｐが同一に構成されている。そして、六つの単位パターン領域Ｓは、図１２の縦方向（図の上下方向）に繰返周期ＳＰ１で三つの領域が並ぶとともに、図１２の横方向に繰返周期ＳＰ２で二つの領域が並ぶように配列されている。
【００６２】
（遮光性基材への電磁波遮蔽性の付与）
遮光性基材１は、アルミニウム箔、銅箔の如き導電体から構成することにより、網目パターン１Ｐ及びこれより成る一方向透視性遮蔽材１０に電磁波遮蔽性を付与することができる。また、このようにして電磁波遮蔽性が付与された一方向透視性遮蔽材１０は、屋内（車内）から屋外（車外）に向かって輻射される不要な電磁波、或いは、屋外（車外）から屋内（車内）に向かって輻射される不要な電磁波による電気電子機器への悪影響を解消することができる。
【００６３】
（表裏への明度差の設定）
図１に示す本実施形態は、遮光性基材１とこれを貫通する多数の透孔２とからなり、透孔２を除いた部分の遮光性基材１の平面視形状が上記特定の非周期的な網目パターン１Ｐを呈した
一方、図１３に示す、本発明の一方向透視性遮蔽材１０の変形例は、図１の構成に於いて、遮光性基材１の表裏両面の外観色が互いに異なり、その一方の面１ｓが他方の面１ｒに対して、高い明度、つまり明度を明るした構成である。具体的には、例えば、一方の面１ｓを白色とし、他方の面１ｒを黒色とする。この構成は、一方の面１ｓを屋外（車外）に向けて、他方の面１ｒを屋内（車内）に向けて用いることで、より効果的に一方向透視性を発揮できる。
【００６４】
（透明基材の積層）
図１４で示す様に、本発明の一方向透視性遮蔽材１０は、多数の透孔２が形成され所定の網目パターン１Ｐを有する遮光性基材１のみでも良いが、更に、この遮光性基材１に、透孔２が設けられていない透明基材３が積層された構成としても良い。透明基材３には、透孔２は貫通しておらず、且つ透孔２に位置対応した凹部も形成されていない。
透明基材３としては、遮光性基材１で列記した様な樹脂シート（フィルム、板も含む）の他、ソーダガラスなどのガラス板なども用いることができる。透明基材３の厚みは、例えば１〜１０ｍｍ程度である。
なお、透孔２が透明基材３を貫通する形態もあり得る。また、透孔２の内部が透明物質で充填されている形態もあり得る。
透明基材３と遮光性基材１との積層は透明な接着剤又は粘着剤を用いることができる。例えば、２液硬化型ウレタン樹脂からなる透明接着剤を用いる。なお、図１４では、透明基材３と遮光性基材１との間の透明接着剤層乃至は透明粘着剤層の図示は省略してある。
【００６５】
透明基材３が積層された構成の一方向透視性遮蔽材１０は、次の様にして作製したものでも良い。
厚さ１０〜１００μｍのアルミニウム箔の一方の面に黒化ニッケルめっきを行って黒色とした物を、２液硬化型ウレタン樹脂からなる透明接着剤層を介して、透明基材３上に接着積層する。このとき、アルミニウム箔の黒色面は透明接着剤層側、又は透明接着剤層側とは反対側の何れも可能である。次いで、積層されたアルミニウム箔の表面に、感光性レジストを塗工しレジスト膜を形成する。次いで、所定の網目パターン１Ｐを有するフォトマスクを介して、その網目パターン１Ｐを前記レジスト膜に露光する。次いで、このレジスト膜を現像して、網目パターン１Ｐの開口部Ａの部分が露出したレジストパターンを形成した上で、塩化第２鉄水溶液にて、露出した部分のアルミニウム箔を腐食し除去する。次いで、レジスト膜を溶解除去する。
こうすることでも、図１４で示す構成の一方向透視性遮蔽材１０を作製することができる。
【００６６】
以上のように、単に遮光性基材１の１層のみでなく、透明基材３を積層した構成とすることで、遮光性基材１のみでは機械的強度が不足する場合に、透明基材３で補強することができる。また、透明基材３自体を、ガラス窓のガラス等とすることもできる。
【００６７】
（絵柄層の付与）
図１５で示す様に、本発明の一方向透視性遮蔽材１０は、遮光性基材１の一方の面をなす表面に絵柄層４を形成してもよい。本変形形態は、図１５（Ｂ）の断面図の如く、遮光性基材１の片面に絵柄層４を形成した例である。絵柄層４の形成面（図１５（Ａ））は、例えば、屋外（車外）側の表面とする。
遮光性基材１の表面に形成される絵柄層４は、遮光性基材１に形成されている透孔２と同じ平面位置に透孔２を有する。言い換えれば、透孔２は遮光性基材１とこれに積層された絵柄層４を貫通して形成されている。
絵柄層４の形成は、グラビア印刷、シルクスクリーン印刷等の公知の印刷法により、遮光性基材１の全面又は一部に形成する。絵柄層４の形成は、透孔２の形成前、形成後、いずれも可能である。
絵柄層４の絵柄としては、例えば、文字、数字、幾何学模様（図形）、木目模様、石目模様、風景など任意である。
絵柄層４の絵柄は、単なる美的意匠の他、広告宣伝、標語、案内表示、店舗名や会社名、商品名等の情報でも良い。
尚、図１５（Ｂ）に於いては、遮光性基材１の一方の面１ｓにのみ絵柄層４を形成した形態を例示したが、この他、遮光性基材１の両面（一方の面１ｓ及び他方の面１ｒ）に絵柄層を設けることも出来る。こうした形態の場合は、一方の面１ｓと他方の面１ｒとで設ける絵柄４を別のものとし、室内（車内）から見た場合と室外（車外）から見た場合とで別々の絵柄を表示することが出来る。
【００６８】
図１６で示す様に、絵柄層４は、遮光性（屋外乃至は車外からの）及び絵柄の色彩再現性を高める為、最表面側を、有彩色を呈する有彩色パターン層４ａ、遮光性基材１側を、白色ベタ層４ｂとした構成も好ましい。
【００６９】
〔用途〕
本発明による一方向透視性遮蔽材１０は、各種透光性物品に適用することができる。例えば、住宅、店舗、事務所、病院乃至は医院、等の建築物の窓又は扉の表面に貼着する用途である。或いは、自動車、鉄道車両等の車両の窓又は扉の表面に貼着する用途である。これらの窓や扉を構成するガラス、樹脂等の透明板などからなる透光性物品の表面に貼着する。
透明基材３が積層されそれが板状体の形態の場合は、一方向透視性遮蔽材１０それ自体を、窓や扉の透明板として用いても良い。
なお、貼着は、公知の透明な接着剤乃至は粘着剤を介して貼着することができる。
【符号の説明】
【００７０】
１    遮光性基材
１Ｐ  網目パターン
１ｒ  他方の面
１ｓ  一方の面
２    透孔
３    透明基材
４    絵柄層
４ａ  有彩色パターン層
４ｂ  白色ベタ層
６    網戸
６Ｐ  （網戸の）網目
１０    一方向透視性遮蔽材
Ａ    開口部
Ｂ    分岐点
ＢＰ  母点
Ｌ    境界線分
Ｌｔ  ライン部（境界線分の集合）
Ｏｉｎ    屋内の観察者
Ｏｏｕｔ  屋外の観察者
Ｓ    単位パターン領域
【図１】
2013067988.tif 000003
【図２】
2013067988.tif 000004
【図３】
2013067988.tif 000005
【図４】
2013067988.tif 000006
【図５】
2013067988.tif 000007
【図６】
2013067988.tif 000008
【図７】
2013067988.tif 000009
【図８】
2013067988.tif 000010
【図９】
2013067988.tif 000011
【図１０Ａ】
2013067988.tif 000012
【図１０Ｂ】
2013067988.tif 000013
【図１０Ｃ】
2013067988.tif 000014
【図１１Ａ】
2013067988.tif 000015
【図１１Ｂ】
2013067988.tif 000016
【図１１Ｃ】
2013067988.tif 000017
【図１２】
2013067988.tif 000018
【図１３】
2013067988.tif 000019
【図１４】
2013067988.tif 000020
【図１５】
2013067988.tif 000021
【図１６】
2013067988.tif 000022
【図１７】
2013067988.tif 000023
【図１８】
2013067988.tif 000024